(57)【要約】【課題】光コネクタに対する脱着操作性に優れ、光コネクタからの不用意な離脱を防いで光コネクタに対する装着状態を安定に維持でき、光コネクタの保護を確実に行なえる光コネクタキャップ、キャップ付き光コネクタの提供。【解決手段】光ファイバ６１先端が内挿固定された板状のボディに光路変換部を有する光コネクタ５０をコネクタ収容凹所２１に収容する収容ベース部材２０と、この収容ベース部材２０を開閉する蓋部材３０とを有し、蓋部材３０は収容ベース部材２０に閉じたときに収容ベース部材２０の係止部２７に係脱可能に係合する係合部３２を有し、収容ベース部材２０のコネクタ収容凹所２１の周囲の周壁部にはファイバ収容溝２４が形成されている光コネクタキャップ１０、この光コネクタキャップ１０に光コネクタ５０を収容したキャップ付き光コネクタを提供する。【選択図】図１
2014137580.tif 000002
【特許請求の範囲】
【請求項１】
光コネクタを収容するコネクタ収容凹所が形成された収容ベース部材と、この収容ベース部材に対して閉じることで前記コネクタ収容凹所に収容された前記光コネクタを覆う開閉可能な蓋部材とを有し、
前記光コネクタは、そのボディに内挿固定された光ファイバ先端の光路をボディ片面の接合面側の光入出射部の光路に変換する光路変換部を有し、
前記蓋部材は、前記収容ベース部材に閉じたときに、前記収容ベース部材の係止部に係脱可能に係合する係合部を有し、
前記収容ベース部材の前記コネクタ収容凹所の周囲の周壁部には、前記ボディに先端部が内挿固定されボディ後端から延出する光ファイバを通すファイバ収容溝が形成されている光コネクタキャップ。
【請求項２】
前記収容ベース部材は前記周壁部から外側へ張り出す後側張出部を有し、前記ファイバ収容溝は前記延出部の突端まで延在形成されている請求項１に記載の光コネクタキャップ。
【請求項３】
前記蓋部材に、該蓋部材を前記収容ベース部材に閉じたときに、前記ファイバ収容溝に通されている前記光ファイバの前記ファイバ収容溝からの離脱を防止するファイバ押さえ突部が突設されている請求項１又は２に記載の光コネクタキャップ。
【請求項４】
前記光コネクタは、前記収容ベース部材のコネクタ収容凹所に、前記光コネクタの接合面が対向するように収容され、
前記コネクタ収容凹所に、前記光コネクタの前記光入出射部以外の接合面に当接される当接部と、前記光コネクタの接合面中央部の前記光入出射部に対応する位置に確保された中央凹部とを有し、前記当接部は前記光コネクタの前記光入出射部を介して両側の接合面に当接させるべく前記中央凹部の両側に設けられている請求項１〜３のいずれか１項に記載の光コネクタキャップ。
【請求項５】
前記光コネクタは、その接合面中央部の前記光入出射部を介して両側から突出する位置決めピンを有し、
前記収容ベース部材の前記コネクタ収容凹所内には、前記光コネクタの位置決めピンを収容するピン収容空間が確保されている請求項４に記載の光コネクタキャップ。
【請求項６】
前記収容ベース部材の前記当接部は、前記中央凹部とその両側のピン収容空間のそれぞれとの間にそれぞれ設けられている請求項５に記載の光コネクタキャップ。
【請求項７】
前記蓋部材は、前記収容ベース部材の前記コネクタ収容凹所を開閉する蓋部材本体と、この蓋部材本体の前記コネクタ収容凹所に対面される面に突出するコネクタ押え突部とを有し、
前記コネクタ収容凹所を閉じた前記蓋部材の前記コネクタ押え突部と前記収容ベース部材の当接部との間に光コネクタを収容する請求項４〜６のいずれか１項に記載の光コネクタキャップ。
【請求項８】
前記蓋部材が、ヒンジ部を介して、前記収容ベース部材の周壁部に回転可能に設けられている請求項１〜７のいずれかに記載の光コネクタキャップ。
【請求項９】
光ファイバ先端に取り付けられた光コネクタが、前記光コネクタを収容した請求項１〜８のいずれか１項に記載の光コネクタキャップの収容ベース部材に蓋部材を閉じ合わせて組み立てたコネクタ収容ケース内に収容され、前記光コネクタから延出する光ファイバが前記コネクタ収容ケースの収容ベース部材のファイバ収容溝に通されているキャップ付き光コネクタ。
【発明の詳細な説明】
【技術分野】
【０００１】
本発明は、光ファイバの先端が内挿固定されるボディに、光ファイバ先端の入出射光の光路を屈曲させる光路変更部が設けられた光コネクタに脱着可能に装着される光コネクタキャップ、キャップ付き光コネクタに関する。
【背景技術】
【０００２】
光ファイバの先端に取り付けられる光コネクタとして、プラスチック製板状の透明のコネクタ本体に、その片面から突出する一対の位置決めピンと、光路変更用凹所とが形成された構成のものがある（例えば特許文献１）。
この光コネクタのコネクタ本体には、光ファイバ先端が、コネクタ本体の位置決めピンが突出されている接合面に沿う向きで内挿固定される。この光コネクタは、例えば回路基板に実装された回路基板に直交する光軸を有する受光素子あるいは発光素子である光素子に対して、回路基板に沿って延在配置された光ファイバを光結合することに好適に用いられるものであり、近年、急速に普及しつつある。
この光コネクタは、光素子が実装された受け部材（例えば上述の回路基板）の位置決めピン穴に位置決めピンを嵌合し、受け部材のコネクタ受け面に接合した接合面の中央部を光素子に対面配置して受け部材に取り付けられる。コネクタ本体に内挿固定された光ファイバと光素子とを光結合する光路は光コネクタのコネクタ本体内を通る。この光路は、コネクタ本体に形成された反射面によって光コネクタのコネクタ本体内にて屈曲して、接合面中央部を通るように形成される。
【先行技術文献】
【特許文献】
【０００３】
【特許文献１】米国出願公開第２０１０／０１３５６１８号明細書
【発明の概要】
【発明が解決しようとする課題】
【０００４】
この光コネクタについては、未接続状態にて、コネクタ本体の接合面の傷付きを防ぎたいという要求がある。これに鑑みて、コネクタ本体の接合面を覆う保護部材を光コネクタに取り付けることが検討される。
しかしながら、現在のところ、光コネクタに対する脱着操作を簡単に行なえ、光コネクタからの不用意な離脱を防いで、コネクタ本体の保護を確実に行なえる保護部材は未だ存在しない。
【０００５】
上述の光コネクタは、例えば作業者が２本の手指の指先で把持できるものの、一般にサイズが小さいために、所望の向きに保持することが容易でないなど、取り扱いが難しい。このため、保護部材としては、光コネクタに脱着可能に取り付けるための取り付け構造が問題となる。例えば、係合爪をコネクタ本体に係合させて光コネクタに組み付ける方式（以下、係合組み付け方式）の保護部材は、サイズの小さいコネクタ本体に複数の係合爪を係合させて組み付ける構造であり、係合爪の係脱操作が容易でない。
係合組み付け方式の保護部材としては、コネクタ本体に対する係合爪の係脱操作を容易にする可動レバー部を有する構造を採用できる。しかしながら、この構造の場合は、衝突物等によって可動レバー部が操作されてコネクタ本体に対する係合爪の係合が不用意に解除される可能性がある。
【０００６】
本発明は、前記課題に鑑みて、光コネクタに対する脱着操作性に優れ、光コネクタからの不用意な離脱を防いで光コネクタに対する装着状態を安定に維持でき、光コネクタの保護を確実に行なえる光コネクタキャップ、キャップ付き光コネクタの提供を目的としている。
【課題を解決するための手段】
【０００７】
上記課題を解決するために、本発明では以下の構成を提供する。
第１の発明は、光コネクタを収容するコネクタ収容凹所が形成された収容ベース部材と、この収容ベース部材に対して閉じることで前記コネクタ収容凹所に収容された前記光コネクタを覆う開閉可能な蓋部材とを有し、前記光コネクタは、そのボディに内挿固定された光ファイバ先端の光路をボディ片面の接合面側の光入出射部の光路に変換する光路変換部を有し、前記蓋部材は、前記収容ベース部材に閉じたときに、前記収容ベース部材の係止部に係脱可能に係合する係合部を有し、前記収容ベース部材の前記コネクタ収容凹所の周囲の周壁部には、前記ボディに先端部が内挿固定されボディ後端から延出する光ファイバを通すファイバ収容溝が形成されている光コネクタキャップを提供する。
第２の発明は、前記収容ベース部材は前記周壁部から外側へ張り出す後側張出部を有し、前記ファイバ収容溝は前記延出部の突端まで延在形成されている第１の発明の光コネクタキャップを提供する。
第３の発明は、前記蓋部材に、該蓋部材を前記収容ベース部材に閉じたときに、前記ファイバ収容溝に通されている前記光ファイバの前記ファイバ収容溝からの離脱を防止するファイバ押さえ突部が突設されている第１又は２の発明の光コネクタキャップを提供する。
第４の発明は、前記光コネクタは、前記収容ベース部材のコネクタ収容凹所に、前記光コネクタの接合面が対向するように収容され、前記コネクタ収容凹所に、前記光コネクタの前記光入出射部以外の接合面に当接される当接部と、前記光コネクタの接合面中央部の前記光入出射部に対応する位置に確保された中央凹部とを有し、前記当接部は前記光コネクタの前記光入出射部を介して両側の接合面に当接させるべく前記中央凹部の両側に設けられている第１〜３のいずれか１つの発明光コネクタキャップを提供する。
第５の発明は、前記光コネクタは、その接合面中央部の前記光入出射部を介して両側から突出する位置決めピンを有し、前記収容ベース部材の前記コネクタ収容凹所内には、前記光コネクタの位置決めピンを収容するピン収容空間が確保されている第４の発明の光コネクタキャップを提供する。
第６の発明は、前記収容ベース部材の前記当接部は、前記中央凹部とその両側のピン収容空間のそれぞれとの間にそれぞれ設けられている第５の発明の光コネクタキャップを提供する。
第７の発明は、前記蓋部材は、前記収容ベース部材の前記コネクタ収容凹所を開閉する蓋部材本体と、この蓋部材本体の前記コネクタ収容凹所に対面される面に突出するコネクタ押え突部とを有し、前記コネクタ収容凹所を閉じた前記蓋部材の前記コネクタ押え突部と前記収容ベース部材の当接部との間に光コネクタを収容する第４〜６のいずれか１つの発明の光コネクタキャップを提供する。
第８の発明は、前記蓋部材が、ヒンジ部を介して、前記収容ベース部材の周壁部に回転可能に設けられている第１〜７のいずれか１つの発明の光コネクタキャップを提供する。
第９の発明は、光ファイバ先端に取り付けられた光コネクタが、前記光コネクタを収容した第１〜８のいずれか１つの発明の光コネクタキャップの収容ベース部材に蓋部材を閉じ合わせて組み立てたコネクタ収容ケース内に収容され、前記光コネクタから延出する光ファイバが前記コネクタ収容ケースの収容ベース部材のファイバ収容溝に通されているキャップ付き光コネクタを提供する。
【発明の効果】
【０００８】
本発明に係る光コネクタキャップは、収容ベース部材に蓋部材を閉じることによって、光コネクタを収容するケース（コネクタ収容ケース）を構成する。この光コネクタキャップは、その内側（コネクタ収容ケース内側）に収容した光コネクタを衝突物等から保護して、コネクタ本体の傷付きや破損を防ぐことができる。
この光コネクタキャップは、光コネクタのボディに先端部が内挿固定されている光ファイバの光コネクタからその外側へ延びる部分（後側延出部）を、収容ベース部材のファイバ収容溝に通して、コネクタ収容ケースから外側へ延出させることができる。本発明に係る光コネクタキャップ、キャップ付き光コネクタによれば、光ファイバの後側延出部をファイバ収容溝に通すことで、光ファイバ後側延出部が、収容ベース部材に対する蓋部材の閉じ合わせの障害になることを回避できる。
【０００９】
本発明に係る光コネクタキャップは、収容ベース部材の係止部と蓋部材の係合部との係合によって、収容ベース部材に対して閉じた蓋部材が不用意に開くことを防ぐことができる。その結果、本発明によれば、光コネクタに装着した光コネクタキャップの光コネクタからの不用意な離脱を防ぐことができ、光コネクタキャップの光コネクタに対する装着状態を安定に維持でき、コネクタ収容ケース内に光コネクタを確実に収容保護できる。
また、光コネクタを収容したコネクタ収容ケース（光コネクタキャップ）は、収容ベース部材の係止部に係合している係合部の係止部に対する係合解除操作によって開放でき、光コネクタから離脱させることができる。本発明によれば、光コネクタキャップの光コネクタに対する脱着操作を簡単に行える。
【図面の簡単な説明】
【００１０】
【図１】本発明に係る第１実施形態の光コネクタキャップの蓋部材を収容ベース部材に対して開いた状態を示す斜視図である。
【図２】図１の光コネクタキャップの収容ベース部材に閉じ合わせた蓋部材を収容ベース部材に係止して組み立てたコネクタ収容ケースを説明する図であり、（ａ）は斜め前側から見た斜視図、（ｂ）は斜め後側から見た斜視図である。
【図３】図１の光コネクタキャップの蓋部材を収容ベース部材に対して開いた状態を説明する図であり、（ａ）は収容ベース部材の開口側から見た平面図、（ｂ）は後側から見た図、（ｃ）は図３（ａ）とは反対の側から見た下面図である。
【図４】図２のコネクタ収容ケースに、光ファイバ先端が内挿固定された光コネクタを、該光コネクタに装着したカバー部材とともに収容したキャップ付き光コネクタを説明する図であり、コネクタ収容ケースをその収容ベース部材幅方向に垂直に断面視した部分断面図である。
【図５】図２のコネクタ収容ケースに、光ファイバ先端が内挿固定された光コネクタを、該光コネクタに装着したカバー部材とともに収容したキャップ付き光コネクタを説明する図であり、コネクタ収容ケースをその収容ベース部材の前後方向に垂直に断面視した部分断面図である。
【図６】カバー部材を装着していない光コネクタを、図２のコネクタ収容ケース内に収容したキャップ付き光コネクタを説明する図であり、コネクタ収容ケースをそのその収容ベース部材幅方向に垂直の断面にて断面視した部分断面図である。
【図７】カバー部材を装着していない光コネクタを、図２のコネクタ収容ケース内に収容したキャップ付き光コネクタを説明する図であり、コネクタ収容ケースをそのその収容ベース部材前後方向に垂直の断面にて断面視した部分断面図である。
【図８】本発明に係る第２実施形態の光コネクタキャップの蓋部材を収容ベース部材に対して開いた状態を示す斜視図である。
【図９】図８の光コネクタキャップの収容ベース部材に蓋部材を閉じ合わせて組み立てたコネクタ収容ケースをその斜め後側から見た斜視図である。
【図１０】図８の光コネクタキャップの蓋部材を収容ベース部材に対して開いた状態を説明する図であり、（ａ）は収容ベース部材の開口側から見た平面図、（ｂ）は側面図である。
【図１１】図９のコネクタ収容ケースに、光ファイバ先端が内挿固定された光コネクタを、該光コネクタに装着したカバー部材とともに収容したキャップ付き光コネクタを説明する図であり、コネクタ収容ケースをその収容ベース部材幅方向に垂直に断面視した部分断面図である。
【図１２】図９のコネクタ収容ケースに、光ファイバ先端が内挿固定された光コネクタを、該光コネクタに装着したカバー部材とともに収容したキャップ付き光コネクタを説明する図であり、コネクタ収容ケースをその収容ベース部材の前後方向に垂直に断面視した部分断面図である。
【図１３】本発明に係る実施形態の光コネクタキャップを装着する光コネクタ（光軸変更部付き光コネクタ）の一例を示す斜視図である。
【図１４】図１３の光コネクタを示す図であって、（ａ）は背面側から見た図（平面図）、（ｂ）は側面図、（ｃ）は接合面側から見た図（下面図）である。
【図１５】図１３の光コネクタ外側に装着するカバー部材の一例を示す図であって、（ａ）は背面側から見た斜視図、（ｂ）は背面側とは反対のカバー開口側から見た斜視図である。
【図１６】図１３の光コネクタに図１５のカバー部材を装着して組み立てたカバー付き光コネクタを示す図であって、（ａ）は背面側から見た図（平面図）、（ｂ）は側面図、（ｃ）は接合面側から見た図（下面図）である。
【発明を実施するための形態】
【００１１】
以下、本発明の１実施形態について、図面を参照して説明する。
【００１２】
（第１実施形態）
まず、本発明に係る第１実施形態の光コネクタキャップ及びキャップ付き光コネクタを説明する。
図１、図２（ａ）、（ｂ）に示すように、この実施形態の光コネクタキャップ１０は、光コネクタ５０を収容するコネクタ収容凹所２１が形成された収容ベース部材２０と、収容ベース部材２０に対して開閉可能な蓋部材３０とを有する。
【００１３】
図示例の光コネクタキャップ１０の蓋部材３０は、収容ベース部材２０に対して閉じることで前記コネクタ収容凹所２１を覆う板状の蓋部材本体３１を有する。
図１、図３（ａ）、（ｂ）に示すように、図示例の蓋部材３０の蓋部材本体３１は細長板状（具体的には長方形板状）に形成されている。蓋部材本体３１片面の蓋内側面３１ａも、蓋部材本体３１長手方向を長手方向とする細長形状に形成されている。
蓋部材３０について、蓋部材本体３１の長手方向を、以下、延在方向とも言う。また、この蓋部材３０について、蓋内側面３１ａにおけるその延在方向に垂直の方向を幅方向とも言う。
【００１４】
図２（ａ）、（ｂ）、図４、図５に示すように、この光コネクタキャップ１０は、蓋部材３０を収容ベース部材２０に対して閉じることで、光コネクタを収容するケース（コネクタ収容ケース１０Ａ）を構成する。この光コネクタキャップ１０は、コネクタ収容ケース１０Ａ内側に、光ファイバ６１先端に取り付けられた光コネクタ５０及び該光コネクタ５０外側に装着されたカバー部材５９を収容できる。
【００１５】
カバー部材５９を装着した光コネクタ５０を、以下、カバー付き光コネクタ５０Ａとも言う。光コネクタキャップ１０は、カバー付き光コネクタ５０Ａをコネクタ収容ケース１０Ａ内側に収容することで、カバー付き光コネクタ５０Ａを衝突物等から保護して、光コネクタ５０の傷付きや破損を防ぐことができる。
本明細書においては、カバー付き光コネクタ５０Ａも光コネクタとして扱う。
なお、光コネクタ５０及びカバー部材５９の具体的構成については後述する。
【００１６】
図示例の光コネクタキャップ１０はプラスチック製の一体成形品である。
図１、図３（ｂ）に示すように、蓋部材３０は、収容ベース部材２０のコネクタ収容凹所２１の周囲の周壁部２２に、蓋板部３１に比べて厚みが薄く形成された薄肉部１１を介して繋がっている。薄肉部１１は、蓋部材３０を収容ベース部材２０に対して回転可能に連結するヒンジ部として機能する。以下、薄肉部１１を薄肉ヒンジ部とも言う。
【００１７】
図１に示すように、収容ベース部材２０の周壁部２２は、コネクタ収容凹所２１の底面２１ａを形成する板状の底壁部２３の外周部から該底壁部２３の片面側に突出している。
図示例の光コネクタ５０は概略長方形板状のボディ５１を有している。図示例の光コネクタ５０のボディ５１には、光ファイバ６１の先端部が内挿固定されている。光ファイバ６１の光コネクタ５０から延出した部分を、以下、後側延出部６２とも言う。
【００１８】
図１等に示すように、光コネクタキャップ１０の収容ベース部材２０の周壁部２２には、コネクタ収容凹所２１に収容した光コネクタ５０から延出する光ファイバ６１の後側延出部６２を通すためのファイバ収容溝２４が形成されている。このファイバ収容溝２４は、該周壁部２２の底壁部２３とは反対の端部（突端部）から窪む切り欠き状に形成されている。
【００１９】
また、光コネクタキャップ１０は、収容ベース部材２０の周壁部２２からコネクタ収容凹所２１とは反対の外側へ張り出す後側張出部２８を有している。
前記ファイバ収容溝２４は、収容ベース部材２０の周壁部２２から後側張出部２８の突端まで延在形成されている。
【００２０】
なお、図１３、図１４（ａ）、（ｂ）に示すように、光コネクタ５０のボディ５１には、その長手方向片端の端面（後面５８ａ）から長手方向中央部の光路変更用凹所５３に向かって延在するファイバ収容孔５１ａが形成されている。光ファイバ６１の先端部は、ファイバ収容孔５１ａに内挿固定されている。
本明細書においては、光コネクタ５０について、ボディ５１長手方向において、ファイバ収容孔５１ａの開口部が位置する側を後、反対側を前、として説明する。
光ファイバ６１は、光コネクタ５０のボディ５１からその後側へ延出している。
【００２１】
光ファイバ６１の後側延出部６２は、光コネクタ５０を光コネクタキャップ１０の収容ベース部材２０のコネクタ収容凹所２１に収容したときに、収容ベース部材２０のファイバ収容溝２４に通される。その結果、光ファイバ６１の後側延出部６２は、光コネクタキャップ１０の収容ベース部材２０に対して開いた状態の蓋部材３０を収容ベース部材２０に閉じる作業の邪魔にならない。蓋部材３０は収容ベース部材２０との間に光ファイバ６１の後側延出部６２を強く挟み込むことなく、収容ベース部材２０に閉じ合わせることができる。
【００２２】
ファイバ収容溝２４は、コネクタ収容凹所２１の後側に形成されている。
薄肉ヒンジ部１１は、収容ベース部材２０に対して、その平面視（図３（ａ）参照）において、光コネクタキャップ１０前後方向（図３（ａ）、（ｃ）において上下方向）に垂直の幅方向の片側に設けられている。蓋部材３０は、収容ベース部材２０に対して、薄肉ヒンジ部１１を介して、光コネクタキャップ１０の前後方向（図３（ａ）、（ｃ）において上下方向）の回転軸線を以て回転可能に設けられている。
【００２３】
収容ベース部材２０の周壁部２２は、長方形板状の光コネクタボディ５１の平面視（図１４（ａ）参照）外周形状に沿う四角枠状に形成されている。
この周壁部２２は、ファイバ収容溝２４が形成された後壁部２２ｂと、コネクタ収容凹所２１を介して後壁部２２ｂとは反対の側に位置する前壁部２２ａと、収容ベース部材２０幅方向両側の側壁部２２ｃ、２２ｄとで構成されている。
薄肉ヒンジ部１１は、収容ベース部材２０の一対の側壁部２２ｃ、２２ｄの片方（図示例では、符号２２ｃの側壁部）の外面側（コネクタ収容凹所２１に臨む内面側とは反対の側）に繋がっている。
【００２４】
以下、収容ベース部材２０の一対の側壁部２２ｃ、２２ｄのうち、薄肉ヒンジ部１１が繋がっている側壁部２２ｃを第１側壁部、他方の側壁部２２ｄを第２側壁部とも言う。
収容ベース部材２０の一対の側壁部２２ｃ、２２ｄは、収容ベース部材２０において、光コネクタキャップ１０前後方向に延在形成されている。
前壁部２２ａ及び後壁部２２ｂは、収容ベース部材２０においてその幅方向に延在形成されている。
【００２５】
ここで、光コネクタ５０について説明する。
図１３、図１４（ａ）〜（ｃ）に例示した光コネクタ５０は、光ファイバ先端部を内挿固定するボディとして、アクリル樹脂等の、屈折率が空気よりも大きい透明プラスチック製の板状のボディ５１を用いたものである。
【００２６】
図示例の光コネクタ５０の前記ボディ５１には、光ファイバ６１の先端部が、ボディ５１片面の接合面５２に沿う向きで内挿固定されている。また、前記ボディ５１には、前記光ファイバ６１先端の入射光又は出射光を反射して前記接合面５２に交差する屈曲した光路Ｈ（図１４（ｂ）参照）を形成する光路変更用凹所５３が形成されている。
【００２７】
前記光路変更用凹所５３の後部には、コネクタ後側へ行くにしたがいボディ５１の接合面５２からの距離が増大するように、接合面５２に対して傾斜する後側傾斜内面５３ａが形成されている。この後側傾斜内面５３ａは、接合面５２に沿って延在する光ファイバ６１先端の光軸に対しても傾斜されている。また、後側傾斜内面５３ａは、前記光ファイバ６１先端の光軸（具体的には、後述の裸光ファイバ６１ｂ先端の光軸）上に位置する。
【００２８】
光コネクタ５０のボディ５１には、後側傾斜内面５３ａから光路変更用凹所５３に部分球状に膨出するレンズ部５３ｂが形成されている。レンズ部５３ｂの凸曲面状の表面（以下、湾曲外面５３ｃとも言う）は、光ファイバ６１側及び溝部５４側から見て凹形に形成されている。この湾曲外面５３ｃは、レンズ部５３ｂと光路変更用凹所５３内の空気との屈折率差によって、光ファイバ６１先端（具体的には裸光ファイバ６１ｂ先端）の入射光又は出射光を反射して、屈曲した光路Ｈを形成する反射面（光路変更部）として機能する。
以下、レンズ部５３ｂの湾曲外面５３ｃを反射面、あるいはレンズ部反射面とも言う。
レンズ部反射面５３ｃは、裸光ファイバ６１ｂ先端の光軸上に位置する。
【００２９】
図１３、図１４（ａ）〜（ｃ）に例示した光コネクタ５０には、前記反射面５３ｃによって、前記接合面５２に直交する仮想垂直線に沿う向きで接合面５２中央部（具体的には後述の溝底面５４ａ）と交差する屈曲した光路Ｈが形成される。
前記光ファイバ６１先端から出射された出射光は、前記光路Ｈを以て光コネクタ５０のボディ５１内を進行して、ボディ５１から接合面５２側へ出射される。光ファイバ６１先端からの出射光は、具体的には、長方形状の接合面５２の長手方向中央部に接合面５２幅方向に直交する幅方向に延在形成された溝部５４の溝底面５４ａから出射される。光コネクタ５０の接合面５２側から前記光ファイバ６１に入射される入射光は、前記光路Ｈを以てボディ５１内を進行して、光ファイバ６１にその先端から入射する。
【００３０】
図１３、図１４（ａ）〜（ｃ）に例示した光コネクタ５０は、光ファイバ６１として光ファイバテープ心線６１Ａを用い、該光ファイバテープ心線６１Ａの先端部をボディ５１に内挿固定した構成になっている。光ファイバテープ心線６１Ａの先端には裸光ファイバ６１ｂが口出しされている。光ファイバテープ心線６１Ａは、複数本の裸光ファイバ６１ｂが被覆材によって一括被覆されたテープ状の被覆部６１ａの先端部と、該被覆部６１ａ先端から突出する裸光ファイバ６１ｂとをボディ５１に挿入して、ボディ５１に固定されている。
【００３１】
前記ボディ５１は、概ね長方形の接合面５２を有する長方形板状に形成されている。光ファイバテープ心線６１Ａの被覆部６１ａの先端部は、ボディ５１の長手方向片端から中央部に向かって延在形成された被覆部収容孔５１ｂに内挿固定されている。また、光ファイバテープ心線６１Ａの被覆部６１ａ先端から突出する複数本の裸光ファイバ６１ｂは、ボディ５１内にて被覆部収容孔５１ｂの孔奥から光路変更用凹所５３に向かって複数延在形成された不図示の位置決め孔に挿入されている。位置決め孔には、裸光ファイバ６１ｂが一本ずつ挿入されている。
【００３２】
複数本の裸光ファイバ６１ｂは、位置決め孔内面によって接合面５２に沿う向きで互いに平行に高精度に位置決めされている。ファイバ収容孔５１ａは、被覆部収容孔５１ｂと、被覆部収容孔５１ｂの孔奥から延在する複数の位置決め孔とによって構成されている。
光ファイバテープ心線６１Ａは、テープ状の被覆部６１ａの両面及び被覆部６１ａ先端から突出する裸光ファイバ６１ｂがボディ５１の接合面５２に沿う向きで、ボディ５１に固定されている。
【００３３】
各裸光ファイバ６１ｂ先端（光ファイバ６１先端）は、前記光路変更用凹所５３の反射面５３ｃからコネクタ後側へ離隔して配置されている。裸光ファイバ６１ｂ先端面と反射面５３ｃとの間にはボディ５１の一部が存在する。ボディ５１の裸光ファイバ６１ｂ先端面に対面する面は、裸光ファイバ６１ｂ先端の光軸に概ね垂直に形成されている。裸光ファイバ６１ｂは、ボディ５１に対して、その先端面を接近配置あるいは突き当てて光結合されている。
【００３４】
光コネクタ５０について、ボディ５１の接合面５２におけるその長手方向に垂直の方向を、以下、幅方向とも言う。光ファイバテープ心線６１Ａ先端に口出しされている複数本の裸光ファイバ６１ｂは、ボディ５１内においてボディ５１幅方向に横並びに配列されている。
ボディ５１の光路変更用凹所５３は、前記反射面５３ｃによって、光ファイバテープ心線６１Ａの複数本の裸光ファイバ６１ｂについて前記光路Ｈを互いに平行に形成するべく、ボディ５１の接合面５２とは反対の背面５６から窪んで、ボディ５１幅方向に延在する溝状に形成されている。
【００３５】
レンズ部５３ｂは、光路変更用凹所５３の後側傾斜内面１３ａに複数形成されている。  各レンズ部５３ｂの反射面５３ｃは、光ファイバテープ心線６１Ａの各裸光ファイバ６１ｂ先端の延長上、すなわち裸光ファイバ６１ｂ先端の光軸上に位置している。
レンズ部５３ｂは、複数本の裸光ファイバ６１ｂに対応させて、後側傾斜内面１３ａのコネクタ幅方向（ボディ５１幅方向）の複数箇所に配列形成されている。
【００３６】
前記光路Ｈは、複数本の裸光ファイバ６１ｂのそれぞれについて、レンズ部反射面５３ｃによって屈曲されて形成される。前記光路Ｈは、具体的には、前記裸光ファイバ６１ｂについて、その先端面から入射又は出射する光（裸光ファイバ６１ｂにその先端面から入射する入射光、又は裸光ファイバ６１ｂ先端面から出射する出射光）の光路である。
【００３７】
図１４（ｂ）、（ｃ）に示すように、光コネクタ５０のボディ５１（以下、コネクタボディとも言う）の接合面５２の長手方向中央部には、ボディ幅方向に延在する溝部５４が形成されている。前記反射面５３ｃによって、光ファイバテープ心線６１Ａの複数本の裸光ファイバ６１ｂについてそれぞれ形成される光路Ｈは、具体的には、前記溝部５４の溝底面５４ａを通るように形成される。
なお、図示例の光コネクタ５０の前記溝部５４の溝底面５４ａは、前記接合面５２に沿う平坦面に形成されている。
【００３８】
図１４（ｃ）に示すように、前記反射面５３ｃによって、光ファイバテープ心線６１Ａの複数本の裸光ファイバ６１ｂについてそれぞれ形成される光路Ｈは、コネクタボディ５１の接合面５２において、その長手方向中央部にてボディ幅方向に一列に配列される。
前記接合面５２の長手方向（前後方向）中央部の光路Ｈが配列されている領域を、以下、光入出射部５７とも言う。図示例の光コネクタ５０は、前記溝部５４の溝底面５４ａが前記光入出射部５７となっている。
【００３９】
レンズ部反射面５３ｃは、裸光ファイバ６１ｂ先端からの出射光を接合面５２溝部５４に向かって反射し、溝部５４側からコネクタボディ５１への入射光を裸光ファイバ６１ｂ先端に向かって反射する機能を果たす。
また、レンズ部反射面５３ｃは、光ファイバ６１先端（裸光ファイバ６１ｂ先端）からの出射光を、その光軸から末広がりに拡散する光をも含めて出来るだけ漏れなく溝部５４に向かって平行光として反射する。また、レンズ部反射面５３ｃは、溝部５４側からコネクタボディ５１への入射光を裸光ファイバ６１ｂ先端に向かって反射し、裸光ファイバ６１ｂ先端に集光する機能を果たす。
【００４０】
図１４（ａ）〜（ｃ）に示すように、図示例の光コネクタ５０は、ボディ５１の接合面５２の互いに離隔する２箇所からそれぞれ突出する位置決めピン５５を有する。
この光コネクタ５０は、例えば、光素子（受光素子又は発光素子）、光ファイバといった光入出端が設けられたコネクタ受け部材の位置決めピン穴に位置決めピン５５を挿脱可能に挿入、嵌合し、コネクタ受け部材のコネクタ受け面に接合面５２を接合して、コネクタ受け部材に取り付けることができる。このとき、コネクタボディ５１の溝底面５４ａは光入出端に対面配置される。位置決めピン５５は、コネクタボディ５１の溝底面５４ａが光入出端に対面配置されるように、光ファイバ５０をコネクタ受け部材に対して位置決めする機能を果たす。そして、光コネクタ５０は、コネクタボディ５１の溝底面５４ａを光入出端に対面配置してコネクタ受け部材に取り付けることで、光ファイバ６１を光素子に光接続させることができる。
【００４１】
なお、本発明に係る実施形態の光コネクタとしては、レンズ部５３ｂの形成を省略して、平坦に形成された後側傾斜内面５３ａ自体を、光ファイバ６１先端の入射光又は出射光を反射して、屈曲した光路を形成する反射面として用いる構成も採用可能である。
また、光コネクタとしては、位置決めピン５５を省略して、溝部５４を介して両側に、コネクタ受け部材に突設された位置決めピンが挿脱可能に挿入、嵌合される位置決めピン穴が開口、形成された構成も採用可能である。
【００４２】
次に、光コネクタ５０に装着されるカバー部材５９について説明する。
図１４（ａ）〜（ｃ）、図１５（ａ）、（ｂ）に示すように、前記カバー部材５９は、光コネクタ５０のボディ５１の背面５６を覆うカバー天板部５９ａの片面側に、前記ボディ５１の長方形状の前記背面５６の外周の４辺に対応する４面の外壁面（後面５８ａ、側面５８ｂ、５８ｃ、先端面５８ｄ）のうちの光ファイバ６１が延出されている後面５８ａを除く３面を覆うカバー側壁部５９２を立設した構成のカバー部材本体５９１を有する。
そして、このカバー部材５９は、カバー部材本体５９１の内側に嵌合した光コネクタ５０を収容して、前記光コネクタ５０の接合面５２を表出させた状態で光コネクタ５０外側に装着される。
【００４３】
前記カバー側壁部５９２は、長方形板状のカバー天板部５９ａの長手方向片端を除く３辺に沿って、カバー天板部５９ａの片面側に突設されている。このカバー側壁部５９２は、光コネクタ５０の背面５６の一対の長辺に沿って延在する一対の側面５８ｂ、５８ｃを覆う一対のカバー側板部５９ｂ、５９ｃと、前記光コネクタ５０の前記後面５８ａとは反対の先端面５８ｄを覆うカバー端板部５９ｄとによって構成されている。
カバー側板部５９ｂ、５９ｃは、長方形板状のカバー天板部５９ａの平面視一対の長辺に沿ってカバー天板部５９ａに対して垂直に立設され、互いに平行に延在形成されている。カバー端板部５９ｄは、カバー天板部５９ａの平面視一対の短辺の片方に沿ってカバー天板部５９ａに対して垂直に立設され、一対のカバー側板部５９ｂ、５９ｃの延在方向片端間を塞ぐように、カバー側板部５９ｂ、５９ｃに垂直に形成されている。
【００４４】
また、このカバー部材５９は、前記カバー端板部５９ｄのカバー天板部５９ａとは反対の突端に突設された端板部突起５９ｅを有する。この端板部突起５９ｅは、前記カバー端板部５９ｄから、カバー天板部５９ａとは反対の側へ突出されている。
また、カバー部材５９は、カバー端板部５９ｄ側の先端部とは反対の基端部に、一対のカバー側板部５９ｂ、５９ｃのカバー天板部５９ａとは反対の突端部間を橋絡するコネクタ保持片部５９ｆを有する。コネクタ保持片部５９ｆは、一対のカバー側板部５９ｂ、５９ｃの基端部（カバー端板部５９ｄとは反対側の端部）間を橋絡している。
コネクタ保持片部５９ｆは、一対のカバー側板部５９ｂ、５９ｃに対して、カバー天板部５９ａとは反対のカバー開口側に突出して形成されている。
【００４５】
光コネクタ５０は、カバー部材５９のカバー部材本体５９１の一対のカバー側板部５９ｂ、５９ｃの基端部側から、カバー天板部５９ａに沿わせるようにして、カバー端板部５９ｄに向かって押し込んで行くことで、カバー部材本体５９１内側に収容できる。光コネクタ５０は、その先端面５８ｄをカバー部材５９のカバー端板部５９ｄに当接させる。カバー部材５９のコネクタ保持片部５９ｆは、カバー側板部５９ｂ、５９ｃに対してその突端からカバー天板部５９ａとは反対の側に位置するため、カバー部材本体５９１内側への光コネクタ５０の収容作業の障害にならない。
【００４６】
図１６（ｂ）、（ｃ）等に示すように、カバー付き光コネクタ５０Ａにおいて、光コネクタ５０は、そのボディ背面５６をカバー天板部５９ａに当接させ、ボディ５１両側の側面５８ｂ、５８ｃをカバー側板部５９ｂ、５９ｃの互いに対面する内面側に当接させ、先端面５８ｄをカバー部材５９のカバー端板部５９ｄに当接させてカバー部材５９内側に嵌め込まれる。
【００４７】
カバー付き光コネクタ５０Ａは、光コネクタ５０の接合面５２側が、カバー側板部５９ｂ、５９ｃ及びカバー端板部５９ｄの突端から若干突出し、溝部５４全体がカバー部材５９外側に配置される構成になっている。溝部５４の溝底面５４ａは、カバー側板部５９ｂ、５９ｃ及びカバー端板部５９ｄの突端からカバー天板部５９ａとは反対のカバー部材５９外側に配置される。
また、カバー付き光コネクタ５０Ａにおいて、光コネクタ５０のボディ５１長手方向中央部は、カバー部材５９のカバー側板部５９ｂ、５９ｃの延在方向中央部に配置される。光コネクタ５０の溝部５４は、カバー部材５９前後方向（光コネクタ５０の前後方向と一致）において、カバー端板部５９ｄとコネクタ保持片部５９ｆとの間の位置に配置される。
【００４８】
図１、図４、図５に示すように、光コネクタキャップ１０の収容ベース部材２０は、コネクタ収容凹所２１に収容された光コネクタ５０の接合面５２に当接される当接突起２５（当接部）を複数有している。当接突起２５は、コネクタ収容凹所２１の底面２１ａから突出されて、コネクタ収容凹所２１内に設けられている。複数の当接突起２５は、光コネクタ５０の接合面５２の溝部５４を介してコネクタ前後方向（ボディ５１前後方向）両側に当接されるように、収容ベース部材２０前後方向に互いに離隔して設けられている。
【００４９】
図１、図４、図５に示すように、図示例の当接突起２５は、収容ベース部材２０幅方向に沿って延在する突条状に形成されている。
但し、当接突起２５としては、図示例の構成に限定されず、例えば、柱状の突起等であっても良い。
【００５０】
図１、図４、図５に示すように、図示例の当接突起２５は、収容ベース部材２０に、その前後方向の２箇所に設けられている。図中、前側の当接突起２５（前側当接突起）に符号２５ａ、後側の当接突起２５（後側当接突起）に符号２５ｂを付記する。
【００５１】
図４に示すように、前後の当接突起２５の互いに対面する内面側とは反対の外面間の離隔距離Ｌ１は、光コネクタ５０の一対の位置決めピン５５間の離隔距離Ｌ２に比べて若干小さく設定されている。また、光コネクタ５０の位置決めピン５５の接合面５２からの突出寸法Ｔは、光コネクタキャップ１０の当接突起２５のコネクタ収容凹所底面２１ａからの突出寸法に比べて小さい。
【００５２】
なお、図示例の位置決めピン５５は、その先端がテーパ状に加工（テーパ状加工部）されている。位置決めピン５５の突出寸法Ｔは、位置決めピン５５先端のテーパ状加工部を除く、ロッド状部分の光コネクタボディ５１（接合面５２）からの突出寸法を指す。
光コネクタキャップ１０の前後の当接突起２５のコネクタ収容凹所底面２１ａからの突出寸法は互いに同じになっている。光コネクタ５０の前後の位置決めピン５５の接合面５２からの突出寸法Ｔは互いに同じになっている。
【００５３】
ここで、前後の当接突起２５の外面間の離隔距離Ｌ１は、各当接突起２５の突端から収容ベース部材２０の底壁部２３に向かって、光コネクタ５０の位置決めピン５５の突出寸法Ｔの範囲における、前後の当接突起２５の外面間の最大離隔距離を指す。
図示例の当接突起２５は、収容ベース部材２０の幅方向に垂直の断面形状が、底壁部２３から突端側に行くにしたがって先細りに形成されている。図示例の光コネクタキャップ１０の前後の当接突起２５の外面間の離隔距離Ｌ１は、各当接突起２５の突端から収容ベース部材２０の底壁部２３に向かって光コネクタ５０の位置決めピン５５の突出寸法Ｔの位置の外面間の離隔距離である。
【００５４】
図３（ａ）、図４に示すように、収容ベース部材２０の前側の当接突起２５ａと前壁部２２ａとの間、及び後側の当接突起２５ｂと後壁部２２ｂとの間には、光コネクタ５０の位置決めピン５５を収容するためのピン収容空間２６ａ、２６ｂが確保されている。
以下、収容ベース部材２０の前側の当接突起２５ａと前壁部２２ａとの間のピン収容空間２６ａを前側ピン収容空間、後側の当接突起２５ｂと後壁部２２ｂとの間のピン収容空間２６ｂを後側ピン収容空間とも言う。
【００５５】
カバー付き光コネクタ５０Ａをコネクタ収容ケース１０Ａに収容するには、カバー付き光コネクタ５０Ａを、蓋部材３０を開放して露呈させた収容ベース部材２０のコネクタ収容凹所２１に収容した後、収容ベース部材２０に蓋部材３０を閉じ合わせる。
図５に示すように、カバー付き光コネクタ５０Ａは、光コネクタキャップ１０の収容ベース部材２０のコネクタ収容凹所２１に、光コネクタ５０の接合面５２がコネクタ収容凹所底面２１ａに対面する向きで挿入して収容する。また、カバー付き光コネクタ５０Ａは、その前後方向（光コネクタ５０の前後方向と一致）を、光コネクタキャップ１０の収容ベース部材２０の前後方向に揃えてコネクタ収容凹所２１に収容する。
【００５６】
図５に示すように、カバー付き光コネクタ５０Ａは、光コネクタキャップ１０の収容ベース部材２０のコネクタ収容凹所２１に収容する際に、光コネクタ５０の前側の位置決めピン５５（前側ピン５５ａ）を収容ベース部材２０の前側ピン収容空間２６ａに挿入し、後側の位置決めピン５５（後側ピン５５ｂ）を収容ベース部材２０の後側ピン収容空間２６ｂに挿入する。また、カバー付き光コネクタ５０Ａは、カバー部材５９前端部の端板部突起５９ｅを収容ベース部材２０の前側ピン収容空間２６ａに挿入し、カバー部材５９後端部のコネクタ保持片部５９ｆを収容ベース部材２０の後側ピン収容空間２６ｂに挿入する。
【００５７】
収容ベース部材２０に対して開状態の蓋部材３０は、カバー付き光コネクタ５０Ａを収容ベース部材２０のコネクタ収容凹所２１に収容し、光ファイバ６１の後側延出部６２をファイバ収容溝２４に挿入してから収容ベース部材２０に閉じ合わせる。これにより、コネクタ収容ケース１０Ａ内にカバー付き光コネクタ５０を収容、保護できる。
【００５８】
既述のように、カバー付き光コネクタ５０Ａは、光コネクタ５０の接合面５２側が、カバー側板部５９ｂ、５９ｃ及びカバー端板部５９ｄの突端から若干突出した構成となっている（図１６（ｂ）参照）。
図５に示すように、コネクタ収容ケース１０Ａ内に収容されたカバー付き光コネクタ５０Ａは、収容ベース部材２０の前後の当接突起２５ａ、２５ｂの突端面に対して、光コネクタ５０の接合面５２を当接可能であるが、カバー部材５９は当接突起２５に当接しない。
【００５９】
カバー付き光コネクタ５０Ａあるいはカバー部材５９を装着していない光コネクタ５０をコネクタ収容ケース１０Ａ内に収容（光コネクタキャップ１０を装着）したものを、以下、キャップ付き光コネクタとも言う。図２（ａ）、（ｂ）、図４、図５は、カバー付き光コネクタ５０Ａをコネクタ収容ケース１０Ａ内に収容したキャップ付き光コネクタ５１０を示す。
【００６０】
既述のように、光コネクタキャップ１０の前後の当接突起２５の外面間の離隔距離Ｌ１は、光コネクタ５０の一対の位置決めピン５５間の離隔距離Ｌ２に比べて若干小さく設定されている（図４参照）。
また、キャップ付き光コネクタ５１０は、コネクタ収容ケース１０Ａ内に、その内側に収容されたカバー付き光コネクタ５０Ａの若干の遊動（微動）を可能にする僅かなクリアランス（図示略）が確保された構成となっている。
【００６１】
図４、図５において、キャップ付き光コネクタ５１０は、光コネクタキャップ１０の収容ベース部材２０の前壁部２２ａと後壁部２２ｂとの間の距離が、カバー付き光コネクタ５０Ａの前後方向寸法に比べて僅かに大きく設定されている。
また、このキャップ付き光コネクタ５１０において、光コネクタキャップ１０の収容ベース部材２０の一対の側壁部２２ｃ、２２ｄ間の距離は、カバー部材５９両側に突設されている側面突部５９ｇ（図１６（ａ）〜（ｃ）参照）の突端間の距離に比べて僅かに大きく設定されている。
【００６２】
図１５（ａ）、（ｂ）、図１６（ａ）〜（ｃ）に示すように、カバー部材５９は、一対のカバー側板部５９ｂ、５９ｃからカバー部材本体５９１内面とは反対の外面側に突出する側面突部５９ｇを含む。カバー部材５９において、側面突部５９ｇは、一対のカバー側板部５９ｂ、５９ｃの間隔方向である幅方向の両側に設けられている。この側面突部５９ｇは、カバー天板部５９ａ長手方向に沿って延在するカバー側板部５９ｂ、５９ｃの延在方向中央部に、カバー天板部５９ａに垂直の方向に延在する突条状に形成されている。
【００６３】
仮に、当接突起２５外面間の離隔距離Ｌ１を、光コネクタ５０の位置決めピン５５間の離隔距離Ｌ２と同等とした構成の場合について説明する。この場合は、例えばコネクタ収容ケース１０Ａの押圧力による変形が生じたときに、その内側に収容されたカバー付き光コネクタ５０Ａの位置決めピン５５が当接突起２５に押圧、圧接される現象が生じやすくなる。
これに対して、図示例の光コネクタキャップ１０は、カバー付き光コネクタ５０Ａが収容ベース部材２０に対してその前後方向に相対変位（遊動）しても、位置決めピン５５が当接突起２５に当接しないようになっている。
【００６４】
コネクタ収容ケース１０Ａ内のカバー付き光コネクタ５０Ａのコネクタ収容ケース１０Ａに対するその前後方向への遊動可能範囲は、収容ベース部材２０の前壁部２２ａと後壁部２２ｂとの間の距離と、カバー付き光コネクタ５０Ａの前後方向（光コネクタ５０の前後方向と一致）の寸法とによって決まる。光コネクタキャップ１０の収容ベース部材２０は、位置決めピン５５が当接突起２５に当接しない範囲で、カバー付き光コネクタ５０Ａを収容ベース部材２０前後方向に遊動可能として収容する。
したがって、図示例の光コネクタキャップ１０は、コネクタ収容ケース１０Ａに収容したカバー付き光コネクタ５０Ａの位置決めピン５５を、当接突起２５への押圧、圧接によって傷める心配が無い。
【００６５】
図４に示すように、コネクタ収容ケース１０Ａ内に収容したカバー付き光コネクタ５０Ａは、収容ベース部材２０の周壁部２２によって、光コネクタ５０の溝部５４が収容ベース部材２０の前後の当接突起２５の間に位置するように配置される。
一対の当接突起２５は、前記コネクタ収容凹所に収容した前記コネクタ５０の接合面５２における溝部５４と該溝部５４から離隔させてその両側に設けられている位置決めピン５５の間に位置する領域に当接される。
光コネクタ５０の溝部５４が収容ベース部材２０の前後の当接突起２５の間に配置された状態は、カバー付き光コネクタ５０Ａが収容ベース部材２０に対してその前後方向に相対変位（遊動）しても維持される。
【００６６】
図４に示すように、コネクタ収容ケース１０Ａ内に収容したカバー付き光コネクタ５０Ａの光コネクタ５０の溝部５４が収容ベース部材２０の前後の当接突起２５の間に配置される構成は、溝底面５４ａに光コネクタ５０以外の部材が接触することを確実に防ぐことができる。コネクタ収容ケース１０Ａ内に収容した光コネクタ５０の溝部５４は、収容ベース部材２０の前後の当接突起２５の間の中央凹部２５ｃに臨んで配置される。このため、光コネクタキャップ１０は、光コネクタ５０の溝底面５４ａを傷付き等から確実に保護することができる。
収容ベース部材２０の前後の当接突起２５は、中央凹部２５ｃを介して前後両側に設けられている。
【００６７】
図６、図７に示すように、コネクタ収容ケース１０Ａは、カバ−部材５９を装着していない光コネクタ５０を収容することも可能である。図６、図７に示すように、コネクタ収容ケース１０Ａ内にカバ−部材５９を装着していない光コネクタ５０を収容した構成のキャップ付き光コネクタに、図中符号５１１を付記する。
【００６８】
キャップ付き光コネクタ５１１において、コネクタ収容ケース１０Ａは、カバ−部材５９を装着していない光コネクタ５０を、若干の遊動を許容して収容する。カバ−部材５９を装着していない光コネクタ５０は、コネクタ収容ケース１０Ａ内に、カバー付き光コネクタ５０Ａに比べて大きい遊動範囲を以て収容される。カバ−部材５９を装着していない光コネクタ５０は、コネクタ収容ケース１０Ａ内での遊動によって、位置決めピン５５が当接突起２５に当接し得る。但し、カバ−部材５９を装着していない光コネクタ５０は、コネクタ収容ケース１０Ａ内での遊動範囲がカバー付き光コネクタ５０Ａに比べて大きいため、衝突物等によるコネクタ収容ケース１０Ａの変形に起因する位置決めピン５５の当接突起２５への圧接が生じにくい。このため、キャップ付き光コネクタ５１１は、当接突起２５への圧接によって位置決めピン５５を傷めるといった不都合が生じにくい。
なお、このキャップ付き光コネクタ５１１においても、光コネクタ５０の溝部５４が収容ベース部材２０の前後の当接突起２５の間に配置された状態を安定に維持できる。
【００６９】
図１に示すように、光コネクタキャップ１０の蓋部材３０は、薄肉ヒンジ部１１に繋がっている基端側とは反対の側（先端側）に突設されている係合片３２（係合部）を有する。この係合片３２は、収容ベース部材２０の第２側壁部２２ｄの外面側（コネクタ収容凹所２１とは反対の側）に突設されている係止爪２７（係止部）に係脱可能に構成されている。蓋部材３０は、収容ベース部材２０に閉じ合わせ、係合片３２を収容ベース部材２０の係止爪２７に係合させることで、収容ベース部材２０に対する閉じ状態（図２（ａ）、（ｂ）、図５参照）を維持できる。
【００７０】
収容ベース部材２０の係止爪２７に係合した係合片３２は、手動で、収容ベース部材２０の係止爪２７に対する係合を解除できる。
収容ベース部材２０に対して閉じ状態の蓋部材３０は、収容ベース部材２０の係止爪２７に対する係合片３２の係合を解除することで、収容ベース部材２０に対して薄肉ヒンジ部１１を中心に回転自在となり、収容ベース部材２０に対して開くことができる。
【００７１】
図１に示すように、蓋部材本体３１の、収容ベース部材２０に閉じ合わせたときに収容ベース部材２０の底壁部２３に対面される本体内面３１ａ（以下、蓋内側面とも言う）側には、その外周部に沿って延在する突条状のリブ部３３が突設されている。
蓋部材３０の係合片３２は、具体的には、リブ部３３の、蓋部材３０先端側に位置する部分の外面から蓋部材本体３１とは反対の側へ突出する板状片である。
【００７２】
図２（ａ）、（ｂ）、図５に示すように、係合片３２は、該係合片３２に形成されている係合用窓孔３２ａに、収容ベース部材２０の係止爪２７を入り込ませることで、係止爪２７に係合する。蓋部材３０は、収容ベース部材２０に閉じ合わせることで、係合片３２の係合用窓孔３２ａに収容ベース部材２０の係止爪２７を入り込ませて、係合片３２を係止爪２７に係合させることができる。その結果、蓋部材３０が収容ベース部材２０に閉じ状態に係止される。
収容ベース部材２０の係止爪２７に係合した係合片３２は、該係合片３２を手動で弾性変形して、係合用窓孔３２ａから係止爪２７を抜き出すことで、係止爪２７に対する係合を解除できる。
【００７３】
図１、図３（ａ）に示すように、蓋部材３０のリブ部３３は、蓋内側面３１ａ側外周部全周にわたって突設（周設）されている。
図４、図５に示すように、光コネクタキャップ１０は、蓋部材３０を収容ベース部材２０に閉じ合わせたときに、蓋部材３０のリブ部３３が、収容ベース部材２０の周壁部２２の底壁部２３とは反対側の突端部外側に嵌合する。
【００７４】
図１、図３（ａ）に示すように、蓋部材３０のリブ部３３は、収容ベース部材２０の四角枠状の周壁部２２に対応して、該周壁部２２に外嵌め可能な四角枠状に形成されている。
蓋部材３０のリブ部３３は、蓋部材３０を収容ベース部材２０に閉じ合わせたときに、収容ベース部材２０の周壁部２２の一対の側壁部２２ｃ、２２ｄ及び前壁部２２ａの外面側に配置されるＵ字形に延在形成された外周主リブ部３３１と、後壁部２２ｂの外面側に配置される後リブ部３３ｂとを有する。
【００７５】
蓋部材３０は、その延在方向を、収容ベース部材２０の前後方向と一致させて、収容ベース部材２０に設けられている。
本明細書では、光コネクタキャップ１０の蓋部材３０について、収容ベース部材２０の前後方向と一致する方向（図３（ａ）において上下方向）を前後方向として説明する。蓋部材３０の幅方向は、蓋内側面３１ａにおけるその前後方向に垂直の方向である。
なお、蓋部材３０の前後は収容ベース部材２０の前後に対応している。すなわち、蓋部材３０において、後リブ部３３ｂが設けられている側を後、反対側を前として説明する。
【００７６】
図１等に示すように、外周主リブ部３３１は、蓋内側面３１ａの前端部に蓋部材本体３１の幅方向に沿って延在形成された前リブ部３３ｃと、この前リブ部３３ｃの延在方向両端から蓋部材本体３１の後側へ向かって延在形成された一対の側リブ部３３ｃ、３３ｄとで構成されている。
外周主リブ部３３１は、その延在方向全長にわたって、蓋部材本体３１から蓋内側面３１ａ側へ一定突出寸法で突出されている。
後リブ部３３ｂは、一対の側リブ部３３ｃ、３３ｄの後端部から、一対の側リブ部３３ｃ、３３ｄの互いに対面する相手側に向かって蓋部材本体３１幅方向に沿って延在形成されている。
【００７７】
図１等に示すように、後リブ部３３ｂは、蓋部材本体３１後端部の幅方向中央部には形成されていない。図示例の光コネクタキャップ１０の蓋部材３０の後リブ部３３ｂは、蓋部材本体３１後端部の幅方向中央部を介して幅方向両側に形成されている。
また、図示例の光コネクタキャップ１０の蓋部材３０において、後リブ部３３ｂは、外周主リブ部３３１に比べて蓋部材本体３１からの突出寸法を小さくしてある。
【００７８】
図１に示すように、収容ベース部材２０の周壁部２２の底壁部２３とは反対の突端部２２Ｂは、周壁部２２における突端部２２Ｂから底壁部２３側に位置する部分である周壁部本体２２Ａに比べて薄肉に形成されている。この突端部２２Ｂを、以下、ベース側リブ部とも言う。
【００７９】
ベース側リブ部２２Ｂは、底壁部２３外周から突出する四角枠状の周壁部本体２２Ａの突端側に、ファイバ収容溝２４に対応する部分を除くほぼ全周にわたって形成されている。
ファイバ収容溝２４は、周壁部２２の後壁部２２ｂにその突端から窪む切り欠き状に形成されている。ファイバ収容溝２４は、周壁部本体２２Ａの後壁部２２ｂの突端から、周壁部本体２２Ａの後壁部２２ｂに位置する部分にも切り込む凹形に形成されている。
【００８０】
周壁部本体２２Ａに沿う概ね四角枠状のベース側リブ部２２Ｂは、周壁部本体２２Ａの内面と連続する内面を形成している。周壁部本体２２Ａとベース側リブ部２２Ｂとの境界には段差２２Ｃが形成されている。
【００８１】
図１、図５に示すように、図示例の光コネクタキャップ１０の薄肉ヒンジ部１１は、蓋部材３０先端側の側リブ部３３ｄと、収容ベース部材２０の第１側壁部２２ｃの周壁部本体２２Ａ部分とに一体化されている。
【００８２】
蓋部材３０のリブ部３３は、具体的には、蓋部材３０を収容ベース部材２０に閉じ合わせたときに、収容ベース部材２０の周壁部２２のベース側リブ部２２Ｂに外嵌めされる。  図４、図５に示すように、蓋部材３０は、その外周主リブ部３３１の突端を収容ベース部材２０の周壁部２２の段差２２Ｃに当接させ、蓋内側面３１ａを収容ベース部材２０の周壁部２２の突端に当接させて、収容ベース部材２０に閉じ合わされる。
【００８３】
蓋部材３０を収容ベース部材２０に閉じ合わせたときに、蓋部材３０のリブ部３３が、収容ベース部材２０の周壁部２２の底壁部２３とは反対の突端部外側に嵌合する構成は、蓋部材３０の収容ベース部材２０に対する位置ずれ防止に有効に寄与する。
この構成は、蓋部材３０の収容ベース部材２０に対する位置ずれが、コネクタ収容ケース１０Ａ内のカバー付き光コネクタ５０Ａに影響を与えることの防止に有効に寄与する。
【００８４】
なお、光コネクタキャップとしては、蓋部材３０を収容ベース部材２０に閉じ合わたときに、蓋部材３０の外周主リブ部３３１突端と収容ベース部材２０の周壁部２２の段差２２Ｃとの当接、及び蓋内側面３１ａと収容ベース部材２０の周壁部２２突端との当接の片方のみが実現される構成も採用可能である。
【００８５】
図１、図５に示すように、図示例の光コネクタキャップ１０の薄肉ヒンジ部１１は、蓋部材３０先端側の側リブ部３３ｄと、収容ベース部材２０の第１側壁部２２ｃの周壁部本体２２Ａ部分とに一体化されている。
なお、光コネクタキャップのヒンジ部としては、必ずしも薄肉ヒンジ部１１に限定されない。光コネクタキャップのヒンジ部としては、例えば、収容ベース部材２０の周壁部及び蓋部材３０のうち、その一方に突設された軸部を他方に形成された軸受け部に回転自在に支持した構成も採用可能である。また、ヒンジ部としては、収容ベース部材２０及び蓋部材３０をこれらとは別部材の回転軸を介して枢着した構成も採用可能である。
【００８６】
図１、図４、図５に示すように、蓋部材３０には、コネクタ収容ケース１０Ａ内に収容されたカバー付き光コネクタ５０Ａに当接可能なコネクタ押え突部３４が、蓋内側面３１ａから突出されている。
コネクタ収容ケース１０Ａは、カバー付き光コネクタ５０Ａを、収容ベース部材２０の当接突起２５と蓋部材３０のコネクタ押え突部３４との間にて、収容ベース部材２０の底壁部２３と蓋部材３０の蓋部材本体３１との間隔方向に若干の遊動（微動）を許容して収容する。
【００８７】
図１に示すように、図示例の光コネクタキャップ１０のコネクタ押え突部３４は、蓋部材３０前後方向（収容ベース部材２０前後方向に一致）に延在する突条状に形成されている。また、図示例の蓋部材３０は、互いに平行に形成された２本のコネクタ押え突部３４を有する構成となっている。
蓋部材３０の２本のコネクタ押え突部３４は、蓋内側面３１ａにおける前後方向に垂直の幅方向中央部に、互いに間隔を開けて平行に形成されている。
【００８８】
図１に示すように、カバー付き光コネクタ５０Ａのカバー部材５９は、カバー天板部５９ａの幅方向両端部から、カバー側板部５９ｃ、５９ｄとは反対の側に突出するカバーリブ部５９ｈを有している。
図５に示すように、蓋部材３０の２本のコネクタ押え突部３４は、コネクタ収容ケース１０Ａに収容されたカバー付き光コネクタ５０Ａのカバー部材５９の一対のカバーリブ部５９ｈの間に配置される。コネクタ押え突部３４は、コネクタ収容ケース１０Ａ内でのカバー付き光コネクタ５０Ａの遊動によって、カバー部材５９のカバー天板部５９ａを当接可能である。
【００８９】
コネクタ押え突部３４は、蓋部材３０からコネクタ押え突部３４を省略した場合に比べて、コネクタ収容ケース１０Ａに収容されたカバー付き光コネクタ５０Ａと蓋部材３０との接触部分を少なくする機能を果たす。
コネクタ押え突部３４を有する構成は、例えば、外力によってコネクタ収容ケース１０Ａが変形された場合に、コネクタ収容ケース１０Ａに収容されているカバー付き光コネクタ５０Ａに与える影響を少なく抑えることに有効に寄与する。
【００９０】
なお、コネクタ押え突部３４の形状は、必ずしも突条状の構成である必要は無く、特に限定は無い。蓋部材としては、例えば、蓋内側面３１ａの複数箇所に、柱状のコネクタ押え突部が突設された構成等も採用可能である。
【００９１】
図１、図４等に示すように、光コネクタキャップ１０の蓋部材３０は、ファイバ収容溝２４に通されている光ファイバ６１（後側延出部６２）のファイバ収容溝２４からの離脱を防止するためのファイバ押さえ突部３５を有する。ファイバ押さえ突部３５は、蓋部材本体３１の蓋内側面３１ａの後端部から突出されている。このファイバ押さえ突部３５は、蓋部材本体３１における、蓋部材３０を収容ベース部材２０に閉じたときにファイバ収容溝２４に対面する箇所に形成されている。
ファイバ押え突部３５は、蓋内側面３１ａ後端部において、蓋内側面３１ａの幅方向中央部に形成されている。また、ファイバ押え突部３５は、蓋内側面３１ａ幅方向の互いに離隔する２箇所に形成されている。
【００９２】
図４に示すように、ファイバ押さえ突部３５は、蓋部材３０を収容ベース部材２０に閉じたときにファイバ収容溝２４に挿入される。これにより、ファイバ押さえ突部３５は、ファイバ収容溝２４に通されている光ファイバ６１（後側延出部６２）のファイバ収容溝２４からの離脱を防止する。
【００９３】
図２（ａ）、（ｂ）、図４等に示すように、蓋部材３０は、収容ベース部材２０に閉じたときに、収容ベース部材２０の後側張出部２８及び係止爪２７以外の部分であるベース部材本体２０Ａの底壁部２３とは反対の開口側全体を覆うサイズに形成されている。
蓋部材３０のリブ部３３の外周（外側面）は、収容ベース部材２０の周壁部２２の外周（具体的には周壁部本体２２Ａ突端の外周）と概ね一致するサイズになっている。
【００９４】
図４、図５に示すように、コネクタ収容ケース１０Ａにおいて、収容ベース部材２３のコネクタ収容凹所底面２１ａと該底面２１ａに沿って延在する蓋内側面３１ａとの間隔方向に一致する方向（図４、図５において上下方向）を、以下、ケース厚み方向とも言う。
蓋部材３０を収容ベース部材２０に閉じたとき、蓋部材３０の外周主リブ部３３１の外周（外側面）は、収容ベース部材２０の周壁部本体２２Ａ突端の外周に概ね一致させて配置される。このとき、蓋部材３０の後リブ部３３ｂは、図４に示すように、収容ベース部材２０の後壁部２２ｂの突端部（ベース側リブ部）と、後側張出部２８との間に確保されたリブ収容溝２９に挿入される。
収容ベース部材２０のファイバ収容溝２４は、リブ収容溝２９の溝底面２９ａからさらに窪んで形成されている。
【００９５】
収容ベース部材２０の周壁部２２の段差２２Ｃは、周壁部本体２２Ａとベース側リブ部２２Ｂとの境界に露呈する周壁部本体２２Ａの突端面である。
収容ベース部材２０のリブ収容溝２９の溝底面２９ａは、周壁部２２の段差２２Ｃにおける後壁部２２ｂに位置する部分である。
【００９６】
図１、図４に示すように、光コネクタキャップ１０の蓋部材本体３１は、その後端部が後リブ部３３ｂから後側に張り出した部分である蓋張出部３１ｂを有する。この蓋張出部３１ｂは、蓋部材３０を収容ベース部材２０に閉じたときに、収容ベース部材２０の後側張出部２８の基端部（ベース部材本体２０Ａ側の端部）に重ね合わされる。
【００９７】
蓋部材３０は、収容ベース部材２０に閉じたときに、収容ベース部材２０のベース部材本体２０Ａの開口側全体と後側張出部２８の基端部とを覆う。キャップ付き光コネクタ５１０において、収容ベース部材２０の後側張出部２８の基端部以外の部分は、蓋部材３０に覆われず、ファイバ収容溝２４が露呈している。
【００９８】
図４に示すように、蓋部材３０のファイバ押さえ突部３５は、蓋部材３０を収容ベース部材２０に閉じたときに、ファイバ収容溝２４のうち、収容ベース部材２０の後壁部２２ｂに形成された部分に挿入される。キャップ付き光コネクタ５１０において、ファイバ押さえ突部３５とファイバ収容溝２４の溝底面２４ａとの間には、ファイバ収容溝２４に通されている光ファイバ６１の後側延出部６２を若干の遊動を許容して収容するクリアランスが確保されている。ファイバ押さえ突部３５は、ファイバ収容溝２４の溝底面２４ａとの間に光ファイバ６１を挟み込んで固定するのではなく、光ファイバ６１をファイバ収容溝２４の溝底面２４ａとの間に若干の遊動を許容して保持する。
【００９９】
図２（ｂ）、図４に示すように、図示例のキャップ付き光コネクタ５１０において、光ファイバテープ心線６１Ａは、その片面がファイバ収容溝２４の溝底面２４ａに対面する向きでファイバ収容溝２４に通される。
図４に示すように、光ファイバテープ心線６１Ａの厚みは、ファイバ収容溝２４の深さに比べて小さい。このことは、図示例のキャップ付き光コネクタ５１０において、ファイバ収容溝２４の、収容ベース部材２０のリブ収容溝２９の溝底面２９ａから窪んで形成された部分についても共通する。
【０１００】
図２（ｂ）、図４に示すように、キャップ付き光コネクタ５１０において、コネクタ収容ケース１０Ａのファイバ収容溝２４のうち、蓋部材３０のファイバ押さえ突部３５よりも後側に位置する部分は、その大部分が蓋部材３０に覆われずに露呈されている。
図４に示すように、ファイバ押さえ突部３５は、蓋部材３０において蓋張出部３１ｂよりも前側に位置する。コネクタ収容ケース１０Ａの蓋部材３０の蓋張出部３１ｂとファイバ収容溝２４の溝底面２４ａとの間の距離は、ファイバ押さえ突部３５とファイバ収容溝底面２４ａとの間の距離に比べて格段に大きい。
【０１０１】
キャップ付き光コネクタ５１０において、ファイバ押さえ突部３５は、光ファイバ６１の後側延出部６２のファイバ収容溝２４の溝底面２４ａに対する浮き上がりを僅かに許容する。ファイバ押さえ突部３５とファイバ収容溝２４の溝底面２４ａとの間の領域（ファイバ挿通領域）では、ファイバ収容溝２４の溝底面２４ａに対する光ファイバ６１の浮き上がり許容量が小さいため、実質的に、光ファイバ６１の曲げ変形が規制される。
【０１０２】
これに対して、蓋部材３０の蓋張出部３１ｂは、ファイバ押さえ突部３５に比べて、光ファイバ後側延出部６２のファイバ収容溝底面２４ａからの浮き上がり許容量が格段に大きい。蓋部材３０の蓋張出部３１ｂは、光ファイバ後側延出部６２がファイバ収容溝底面２４ａから大きく浮き上がることを許容する。ファイバ収容溝２４の蓋張出部３１ｂによって覆われた部分では、溝底面２４ａからの浮き上がりによる光ファイバ後側延出部６２の曲げが許容されている。
コネクタ収容ケース１０Ａのファイバ収容溝２４のうち、蓋部材３０のファイバ押さえ突部３５よりも後側に位置する部分を、以下、収容溝後側開放部２４ｂとも言う。
【０１０３】
キャップ付き光コネクタ５１０において、コネクタ収容ケース１０Ａのファイバ収容溝２４に引き通された光ファイバ６１のうち、ファイバ収容溝２４の収容溝後側開放部２４ｂに収容された部分は、光ファイバ６１の曲げ変形によって収容溝後側開放部２４ｂから外側へ取り出し可能である。曲げ変形によって収容溝後側開放部２４ｂから外側へ取り出された光ファイバ６１は、変形力が解除されることで、光ファイバ６１自体の剛性によって収容溝後側開放部２４ｂに収容した状態に復帰可能である。
【０１０４】
キャップ付き光コネクタ５１０において、コネクタ収容ケース１０Ａのファイバ収容溝２４に引き通された光ファイバ６１は、収容溝後側開放部２４ｂから外側へ離脱させる方向の外力が作用していなければ、ファイバ収容溝２４の全長に引き通された状態が保たれる。
図１、図４に示すように、光コネクタキャップ１０のファイバ収容溝２４は、コネクタ収容凹所２１から収容ベース部材２０後方へ真っ直ぐに延在形成されている。光ファイバ６１の後側延出部６２のうち、コネクタ収容ケース１０Ａのファイバ収容溝２４に収容された部分は、光コネクタ５０からその後方へ真っ直ぐに延在する。
【０１０５】
光ファイバ６１の後側延出部６２について、コネクタ収容ケース１０Ａの収容溝後側開放部２４ｂから光コネクタ５０側に位置する部分（図２（ｂ）、図４参照）を、以下、延出基端部６３とも言う。
コネクタ収容ケース１０Ａの後側張出部２８は、光ファイバ６１の後側延出部６２の収容溝後側開放部２４ｂに収容された部分を、衝突物等から保護することに有効に寄与する。後側張出部２８は、光ファイバ６１の後側延出部６２の収容溝後側開放部２４ｂに収容された部分に、その側方からの押圧力によって曲げが与えられることを防ぐことができる。
【０１０６】
図２（ａ），（ｂ）、図４等に示すように、光ファイバ６１先端部にキャップ付き光コネクタ５１０が組み立てられたコネクタキャップ付き光ファイバ６１０は、光ファイバ６１の収容溝後側開放部２４ｂに収容された部分を後側張出部２８によって保護できる。このため、コネクタキャップ付き光ファイバ６１０は、建物内での床下配線作業、光配線盤、光接続箱といった光接続部収容機器への引き込み、光接続部収容機器からの撤去といった作業において、光ファイバ６１の収容溝後側開放部２４ｂに収容された部分を傷めにくい。その結果、コネクタキャップ付き光ファイバ６１０は、床下配線作業、光接続部収容機器への引き込み、光接続部収容機器からの撤去といった作業を効率良く行なうことができる。
【０１０７】
図２（ａ）等に示すように、コネクタ収容ケース１０Ａはベース部材本体２０Ａと蓋部材３０とで構成されるケース本体１０Ｂを有する。光コネクタキャップ１０のベース部材本体２０Ａの外観形状は、周壁部２２の外側面（外面）が、底壁部２３の外面（コネクタ収容凹所２１とは反対側の面）から末広がりに拡がるテーパ状になっている。コネクタ収容ケース１０Ａのケース本体１０Ｂは、その前後方向及び幅方向の中央部から離隔するにしたがってケース厚み方向の寸法が縮小する外観形状となっている。
また、光コネクタキャップ１０の後側張出部２８は、ベース部材本体２０Ａから後方へ行くにしたがってケース厚み方向の寸法及び幅方向の寸法が縮小する先細りのテーパ状に形成されている。
【０１０８】
コネクタ収容ケース１０Ａは、概ね紡錘形の外観形状に形成されている。このことは、コネクタキャップ付き光ファイバ６１０の、床下配線作業、光接続部収容機器への引き込み、光接続部収容機器からの撤去といった作業の効率向上に有効に寄与する。
【０１０９】
（第２実施形態）
次に本発明に係る第２実施形態の光コネクタキャップ、キャップ付き光コネクタを図面を参照して説明する。
なお、図中、第１実施形態の光コネクタキャップ１０と同様の構成部分には共通の符号を付し、その説明を省略あるいは簡略化する。
【０１１０】
図８〜図１０（ａ）、（ｂ）に示すように、この実施形態の光コネクタキャップ７０は、光コネクタ５０を収容するコネクタ収容凹所８１が形成された収容ベース部材８０と、この収容ベース部材８０に対して開閉可能な蓋部材９０とを有する。
【０１１１】
この実施形態の光コネクタキャップ７０はプラスチック製の一体成形品である。
蓋部材９０は、薄肉ヒンジ部１１を介して収容ベース部材８０に回転可能に設けられている。蓋部材９０は、薄肉ヒンジ部１１を中心とする回転によって、収容ベース部材８０に対して開閉する。
【０１１２】
この光コネクタキャップ７０の収容ベース部材８０は、第１実施形態の光コネクタキャップ１０の収容ベース部材２０と同様にベース部材本体２０Ａと後側張出部２８とを有する。この収容ベース部材８０は、第１実施形態の光コネクタキャップ１０の収容ベース部材２０について、係止爪２７を省略して、両側の側壁部２２ｃ、２２ｄの外面側に、外観円板状の係止突部８７（係止部）を設けた構成となっている。
【０１１３】
収容ベース部材８０について、前壁部２２ａ側を前、後側張出部２８側を後として説明する。また、収容ベース部材８０について、一対の側壁部２２ｃ、２２ｄの間隔方向を幅方向として説明する。
薄肉ヒンジ部１１は、収容ベース部材８０の前壁部２２ａの周壁部本体２２Ａ部分と、蓋部材３０とに一体に形成されている。この光コネクタキャップ７０の蓋部材９０は、薄肉ヒンジ部１１を中心に、収容ベース部材８０幅方向の回転軸線を以て回転して収容ベース部材８０に対して開閉される。蓋部材９０は、収容ベース部材８０に閉じ合わせることで、収容ベース部材８０のベース部材本体２０Ａの開口側全体を覆う。
【０１１４】
この光コネクタキャップ７０の蓋部材９０は、第１実施形態の光コネクタキャップ１０の蓋部材３０について、その幅方向両側に、収容ベース部材８０の幅方向両側の係止突起８７に係脱可能な係合片９２（係合部）を設けた構成となっている。また、この蓋部材９０は、第１実施形態の光コネクタキャップ１０の蓋部材３０の蓋部材本体３１の蓋張出部３１ｂに指掛用凹所９１ａを形成した構成の蓋部材本体９１を有する。蓋部材９０の蓋部材本体９１は、蓋張出部３１ｂに指掛用凹所９１ａが形成されている点が、第１実施形態の光コネクタキャップ１０の蓋部材３０の蓋部材本体３１と異なる。
【０１１５】
図８、図１０（ａ）、（ｂ）に示すように、図示例の蓋部材９０の蓋部材本体９１は細長板状（具体的には長方形板状）に形成されている。蓋部材本体９１片面の蓋内側面３１ａも、蓋部材本体９１長手方向を長手方向とする細長形状に形成されている。
蓋部材９０の蓋部材本体９１は、その長手方向片端が薄肉ヒンジ部１１を介して収容ベース部材８０と繋がっている。
【０１１６】
蓋部材９０について、蓋部材本体９１の長手方向を、以下、延在方向とも言う。また、この蓋部材９０について、蓋内側面３１ａにおけるその延在方向に垂直の方向を幅方向とも言う。
【０１１７】
図８〜図１２に示すように、この実施形態の光コネクタキャップ７０の蓋部材９０は、薄肉ヒンジ部１１が繋がっている基端側とは反対の先端側に蓋張出部３１ｂを有する構成となっている。図１１に示すように、この蓋張出部３１ｂは、蓋部材９０を収容ベース部材８０に閉じ合わせたときに、収容ベース部材８０の後側張出部２８の基端部に重ね合わされる。蓋部材９０の指掛用凹所９１ａは、蓋部材９０を収容ベース部材８０に閉じ合わせたときに収容ベース部材８０に対面される蓋部材本体９１の面（蓋内側面３１ａ）から窪んで形成されている。指掛用凹所９１ａは、蓋部材９０を収容ベース部材８０に閉じ合わせた状態において、作業者が手指を挿入して、蓋部材９０を収容ベース部材８０に対して開く作業に利用できる。
【０１１８】
収容ベース部材８０に閉じた状態の蓋部材９０を収容ベース部材８０に対して開くには、例えば作業者が指掛用凹所９１ａに挿入した手指によって指掛用凹所９１ａの底面９１ｂを押圧して、蓋部材９０を、薄肉ヒンジ部１１を中心に開方向に回動（回転）させる。
図８、図１０に示すように、蓋部材９０は、収容ベース部材８０に対して、蓋部材６１（蓋板部）全体が薄肉ヒンジ部１１から収容ベース部材８０とは反対の側に配置される状態まで開くことができる。
【０１１９】
図８、図１０（ａ）に示すように、蓋部材９０は、蓋部材本体９１の蓋内側面３１ａ側に、四角枠状のリブ部３３と、コネクタ押え突部３４と、ファイバ押え突部３５とを有する。リブ部３３と、コネクタ押え突部３４と、ファイバ押え突部３５とは、蓋部材本体９１の蓋内側面３１ａから突出している。
【０１２０】
図１１、図１２に示すように、蓋部材９０のリブ部３３は、収容ベース部材８０に閉じ合わせたときに、収容ベース部材８０の周壁部２２の突端部（具体的にはベース側リブ部２２Ｂ）に嵌合（外嵌め）する。
図８、図１０（ａ）に示すように、蓋部材９０のリブ部３３の前リブ部３３ａは、蓋部材本体９１の基端部に蓋部材本体９１の幅方向（蓋内側面３１ａの幅方向）に沿って延在形成されている。リブ部３３の一対の側リブ部３３ｃ、３３ｄは、蓋部材本体９１の幅方向両側に、前リブ部３３ａの延在方向両端部から蓋部材本体９１先端側に向かって蓋部材本体９１の延在方向に沿って延在形成されている。
【０１２１】
なお、図示例の光コネクタキャップ７０の蓋部材９０は、具体的には、その前リブ部３３ａに一体化された薄肉ヒンジ部１１を介して、収容ベース部材８０に回転可能に設けられている。図示例の光コネクタキャップ７０の薄肉ヒンジ部１１は、蓋部材９０の前リブ部３３ａと、収容ベース部材８０の前壁部２２ａにおける周壁部本体部２２Ａ部分とに一体に形成されている。
【０１２２】
リブ部３３の後リブ部３３ｂは、蓋部材本体９１の幅方向両側の側リブ部３３ｃ、３３ｄの前リブ部３３ａとは反対側の端部（以下、蓋先端側端部とも言う）から、互いに対面する相手側の側リブ部に向かって延在形成されている。後リブ部３３ｂは、蓋部材本体９１の先端部に蓋部材本体９１幅方向に延在形成されている。
【０１２３】
ファイバ押え突部３５は、蓋部材本体９１の先端部において、蓋内側面３１ａの幅方向中央部に形成されている。また、図８、図１０（ａ）に示す図示例の蓋部材９０において、ファイバ押え突部３５は、蓋内側面３１ａ幅方向の互いに離隔する２箇所に形成されている。後リブ部３３ｂは、側リブ部３３ｃ、３３ｄの蓋先端側端部からファイバ押え突部３５に達して延在形成されている。後リブ部３３ｂは、一対のファイバ押え突部３５の間には形成されていない。
【０１２４】
図８、図１０（ａ）に示す図示例の蓋部材９０において、コネクタ押え突部３４は、蓋内側面３１ａの幅方向中央部に蓋内側面３１ａの先端部から基端部に向かって、蓋内側面３１ａ延在方向に沿って延在する突条状に形成されている。
図示例の蓋部材９０は、蓋内側面３１ａ幅方向に互いに離隔する２箇所に形成された一対のコネクタ押え突部３４を有する。
【０１２５】
なお、ファイバ押さえ突部、及びコネクタ押え突部としては、図８、図１０（ａ）に例示した構成に限定されない。
第１実施形態の光コネクタキャップ１０の蓋部材３０にて採用可能なファイバ押さえ突部、及びコネクタ押え突部は、第２実施形態の光コネクタキャップのファイバ押さえ突部、及びコネクタ押え突部としても採用可能である。
【０１２６】
図８、図１０（ａ）に示す図示例の蓋部材９０の係合片９２は、具体的には、リブ部３３の側リブ部３３ｃ、３３ｄの外面から蓋部材本体９１とは反対の側へ突出する板状片である。
図９、図１１、図１２に示すように、蓋部材９０は、収容ベース部材８０に閉じ合わせたときに、係合片９２に形成されている係合用窓孔９２ａに、収容ベース部材８０の係止突部８７を入り込ませて、係合片９２を係止突部８７に係合させることができる。その結果、蓋部材９０が収容ベース部材８０に閉じ状態に係止される。
【０１２７】
収容ベース部材８０の係止突部８７に係合した係合片９２は、該係合片９２を手動で弾性変形して、係合用窓孔９２ａから係止突部８７を抜き出すことで、係止突部８７に対する係合を解除できる。収容ベース部材８０に対して閉じ状態の蓋部材９０は、収容ベース部材８０の係止突部８７に対する係合片９２の係合を解除することで、収容ベース部材８０に対して薄肉ヒンジ部１１を中心に回転自在となり、収容ベース部材８０に対して開くことができる。
【０１２８】
図８、図１０（ａ）、（ｂ）に示すように、光コネクタキャップ７０は、収容ベース部材８０に対して蓋部材９０を開いて、ベース部材本体２０Ａの開口側を開放した状態において、コネクタ収容凹所２１に対するカバー付き光コネクタ５０Ａの挿入、取り出しを自在に行える。
コネクタ収容凹所２１にカバー付き光コネクタ５０Ａを挿入するとき、光コネクタ５０に先端部が内挿固定されている光ファイバ６１の後側延出部６２は、収容ベース部材８０のファイバ収容溝２４に収容する。
【０１２９】
図１１、図１２に示すように、この光コネクタキャップ７０は、収容ベース部材８０に蓋部材９０を閉じ合わせることで、カバー付き光コネクタ５０Ａを収容可能なコネクタ収容ケース７０Ａを構成する。コネクタ収容ケース７０Ａは、収容ベース部材８０のベース部材本体２０Ａと、このベース部材本体２０Ａの開口側に閉じ合わせた蓋部材８０とが構成するケース本体７０Ｂ内にカバー付き光コネクタ５０Ａを収容する。図１１、図１２は、光ファイバ６１先端に、カバー付き光コネクタ５０Ａをコネクタ収容ケース７０Ａのケース本体７０Ｂ内に収容してなるキャップ付き光コネクタ５７０が組み立てられたコネクタキャップ付き光ファイバ６７０を示す。
【０１３０】
図１１、図１２に示すコネクタキャップ付き光ファイバ６７０は、コネクタ収容ケース７０Ａ内にカバー付き光コネクタ５０Ａを若干の遊動（微動）を可能として収容している。コネクタキャップ付き光ファイバ６７０のコネクタ収容ケース７０Ａ内おけるカバー付き光コネクタ５０Ａの収容状態は、第１実施形態のコネクタ収容ケース１０Ａ（光コネクタキャップ１０）内におけるカバー付き光コネクタ５０Ａの収容状態と同様であるため、ここでは詳しい説明を省略する。
【０１３１】
図９、図１１、図１２に示すように、コネクタ収容ケース７０Ａは、概ね紡錘形の外観形状に形成されている。このことは、この実施形態の光コネクタキャップ７０を用いて構成したコネクタキャップ付き光ファイバ６７０の、床下配線作業、光接続部収容機器への引き込み、光接続部収容機器からの撤去といった作業の効率向上に有効に寄与する。
【０１３２】
図９等において、既述のように、光コネクタキャップ７０は、蓋部材９０幅方向両側の係合片９２を、収容ベース部材８０の幅方向両側の係止突部８７に係脱可能に係合させることで、蓋部材９０を収容ベース部材８０に閉じ状態に係止する構成となっている。この構成は、係止突起８７に係合した状態の係合片９２を手動で係止突起８７に対して係合解除する作業の作業性向上に有利である。
【０１３３】
例えば、対比例の光コネクタキャップとして、図示例の光コネクタキャップ７０について、蓋部材９０の係合片９２の位置を蓋部材９０先端に変更し、この係合片９２を収容ベース部材８０の係止突起８７を後側張出部２８に形成した構成について説明する。
この対比例の光コネクタキャップでは、係止突起８７が収容ベース部材８０の収容溝後側開放部２４ｂの近傍に位置している。コネクタ収容ケース７０Ａのケース本体７０Ｂに収容された光コネクタ１０から延出する光ファイバ６１の後側延出部６２は、収容溝後側開放部２４ｂからその外側に引き出されている場合がある。このため、対比例の光コネクタキャップでは、係止突起８７に係合状態の係合片９２を係止突起８７に対して手動で係合解除する際に、光ファイバ６１に不用意に触れて、光ファイバ６１を小さい半径の急激な曲げによって傷めたり折損するといった不都合を生じないように留意する必要がある。
【０１３４】
これに対して、図８〜図１２に例示した光コネクタキャップ７０は、係止突部８７が収容ベース部材８０の幅方向両側に位置する構成であり、対比例の光コネクタキャップに比べて、係止突部８７の光ファイバ後側延出部６２からの距離を充分に大きく確保できる。したがって、この光コネクタキャップ７０は、対比例の光コネクタキャップに比べて、係止突起８７に係合した状態の係合片９２を手動で係止突起８７に対して係合解除する作業の作業性向上に有利である。
【０１３５】
なお、本発明に係る光コネクタキャップとしては、対比例の光コネクタキャップをも採用可能である。
但し、上述のように、係止突起８７に係合した状態の係合片９２を手動で係止突起８７に対して係合解除する作業の作業性の点では、図８〜図１２に例示した光コネクタキャップ７０を採用することが有利である。
【０１３６】
この実施形態の光コネクタキャップ７０は、コネクタ収容ケース７０Ａのケース本体７０Ｂに、カバー部材５９を装着していない光コネクタ５０を収容することも可能である。この場合のケース本体７０Ｂ内における光コネクタ５０の収容状態は、第１実施形態のコネクタ収容ケース７０Ａのケース本体１０Ｂ内における光コネクタ５０の収容状態と同様である。コネクタ収容ケース７０Ａは、カバー部材５９を装着していない光コネクタ５０を、カバー付き光コネクタ５０Ａに比べて大きい遊動可能範囲を確保して収容する。
【０１３７】
以上、本発明を最良の形態に基づいて説明してきたが、本発明は上述の最良の形態に限定されるものではなく、本発明の要旨を逸脱しない範囲で種々の改変が可能である。
例えば上述の実施形態では、蓋部材のリブ部外側面から蓋部材本体とは反対の側に突出させた係合部を、収容ベース部材の周壁部外側面に突設された突起状の係止部に係脱可能に係合する構成を例示したが、蓋部材を収容ケース部材に係合解除可能に係止する構成はこれに限定されない。蓋部材を収容ケース部材に係合解除可能に係止する構成としては、例えば、蓋部材のリブ部外側面からリブ部内側面とは反対の側に突出させた突起状の係合部を、収容ベース部材の周壁部外側面から底壁部２３とは反対の側に突出された係止部に係脱可能に係合する構成も採用可能である。
【０１３８】
光コネクタキャップによって組み立てられるコネクタ収容ケースに収容する光コネクタの具体的構成は、本発明の技術的思想に適合する限り、なんら限定されるものではない。  光コネクタとしては、そのボディの外観形状が、例えば、後側から前側へいくにしたがって厚みが薄くなるテーパ状になっている構成のものも採用可能である。
また、光コネクタとしては、板状のボディに、該ボディに内挿固定された光ファイバ先端の光路をボディ片面の接合面側の光入出射部の光路に変換する光路変換部を有するものであれば良く、光路変換部としてレンズ部反射面５３ｃ（図１４（ｂ）参照）を利用する構成に限定されない。光コネクタとしては、例えば、ボディに形成された凹所内面に形成した金属製反射層、ボディに組み込んだプリズム、光ファイバ等の導光部材などを、光路変換部としてボディに設けた構成も採用可能である。
【０１３９】
光コネクタキャップの蓋部材は収容ベース部材に対して開閉可能であれば良く、収容ベース部材に対してヒンジを介して回転自在に設けられた構成に限定されない。
光コネクタキャップとしては、例えば、蓋部材が、収容ベース部材に、コネクタ収容凹所の深さ方向に垂直の方向にスライド移動することで、コネクタ収容凹所を開閉する構成、収容ベース部材に脱着される収容ベース部材とは別部材の蓋部材を採用した構成等も採用可能である。
なお、蓋部材の係合部、及び収容ケース部材の係止部は、互いに係脱可能に係合させることで、蓋部材を収容ケース部材に対してコネクタ収容凹所を覆う閉じ位置に係止する構成であれば良く、その具体的構成は、蓋部材の収容ベース部材に対する開閉のための移動方向等に応じて適宜設計変更可能である。
【０１４０】
上述の実施形態の光コネクタキャップの収容ケース部材は、そのコネクタ収容凹所底面の幅方向全長にわたって延在する突条状の一対の当接突起を有する構成を例示した。
但し、収容ケース部材の当接突起は、コネクタ収容凹所底面の幅方向全長にわたって延在する突条状に限定されない。収容ケース部材の当接突起は、コネクタ収容凹所に収容した光コネクタを所定向きで支持するべく、少なくとも、コネクタ収容凹所底面の中央を介して前後方向両側の、前記前後方向に垂直の幅方向に互いにずれた位置に設けられていれば良い。収容ケース部材の当接突起は、例えば、コネクタ収容凹所底面の中央を介して前後方向両側の、前記前後方向に垂直の幅方向に互いにずれた位置からそれぞれ突出する柱状突起であっても良い。
【符号の説明】
【０１４１】
１０…光コネクタキャップ、１０Ａ…コネクタ収容ケース、２０…収容ベース部材、２１…コネクタ収容凹所、２２…周壁部、２３…底壁部、２４…ファイバ収容溝、２５…当接突起、２５ａ…当接部（当接突起、前側当接突起）、２５ｂ…当接部（当接突起、後側当接突起）、２５ｃ…中央凹部、２６ａ…ピン収容空間（前側ピン収容空間）、２６ｂ…ピン収容空間（後側ピン収容空間）、２７…係止部（係止爪）、２８…後側張出部、３０…蓋部材、３１…蓋部材本体（蓋板部）、３２…係合部（係合片）、３４…コネクタ押え突部、３５…ファイバ押え突部、５０…光コネクタ、５０Ａ…光コネクタ（カバー付き光コネクタ）、５１…ボディ、５２…接合面、５３ｃ…光路変更部（レンズ反射面）、５４ａ…光入出射部（溝底面）、５７…光入出射部、６１…光ファイバ、６１Ａ…光ファイバ（光ファイバテープ心線）、７０…光コネクタキャップ、７０Ａ…コネクタ収容ケース、８０…収容ベース部材、８７…係止部（係止突部）、９０…蓋部材、９１…蓋部材本体（蓋板部）、５１０、５１１、５７０…キャップ付き光コネクタ。
【図１】
2014137580.tif 000003
【図２】
2014137580.tif 000004
【図３】
2014137580.tif 000005
【図４】
2014137580.tif 000006
【図５】
2014137580.tif 000007
【図６】
2014137580.tif 000008
【図７】
2014137580.tif 000009
【図８】
2014137580.tif 000010
【図９】
2014137580.tif 000011
【図１０】
2014137580.tif 000012
【図１１】
2014137580.tif 000013
【図１２】
2014137580.tif 000014
【図１３】
2014137580.tif 000015
【図１４】
2014137580.tif 000016
【図１５】
2014137580.tif 000017
【図１６】
2014137580.tif 000018